【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
電気携帯用デバイス内の配置のためのセンサデバイスであって、前記センサデバイスは、
接触および／または接近の検出のための少なくとも１つの第１のセンサ要素であって、前記少なくとも１つの第１のセンサ要素は、容量センサ要素として構成され、前記携帯用デバイスの筐体の第１の側壁に配置された送信電極、および前記第１の側壁の反対の、前記筐体の第２の側壁に配置された受信電極を備えている第１の電極構造を備え、前記送信電極によって放出される第１の交流電場は、前記受信電極に結合可能である、少なくとも１つの第１のセンサ要素と、
少なくとも１つの第２のセンサ要素と、
前記少なくとも１つの第１のセンサ要素および前記少なくとも１つの第２のセンサ要素と結合されている評価デバイスと
を備え、
前記評価デバイスは、前記第１のセンサ要素の受信電極からタップされる第１の信号および前記第２のセンサ要素によって提供される少なくとも１つの第２の信号を評価し、前記評価に応じて、少なくとも１つの検出信号を生成するように構成されている、
センサデバイス。
【請求項２】
前記第１の電極構造は、補償電極を備え、前記評価デバイスは、信号発生器を備え、前記信号発生器は、前記送信電極に第１の交流電気信号を供給し、前記補償電極に第２の交流電気信号を供給し、前記補償電極によって放出される第２の交流電場は、前記受信電極に結合可能である、請求項１に記載のセンサデバイス。
【請求項３】
前記補償電極は、実質的に、前記送信電極と前記受信電極との間に配置されている、請求項２に記載のセンサデバイス。
【請求項４】
前記第２の交流電気信号は、前記第１の交流電気信号に対して位相偏移されている、請求項２または３に記載のセンサデバイス。
【請求項５】
前記第１のセンサ要素は、第２の電極構造を備え、前記第２の電極構造は、いくつかの電場感知電極を備え、
前記受信電極、前記送信電極、前記補償電極、および前記電場感知電極は、
前記送信電極によって放出される第１の交流電場が、前記電場感知電極のうちの少なくとも１つにも結合可能であり、
前記補償電極と前記電場感知電極との間の容量結合が、前記補償電極と前記受信電極との間の容量結合に対して十分に小さい
ように、互に対して配置され、
前記評価デバイスは、前記電場感知電極のうちの少なくとも１つからタップされる第３の信号を評価するように構成されている、
請求項２から４のいずれか一項に記載のセンサデバイス。
【請求項６】
前記第１の交流電気信号の振幅は、前記第２の交流電気信号の振幅より大きい、請求項１から５のいずれか一項に記載のセンサデバイス。
【請求項７】
前記受信電極からタップされる前記第１の信号のレベル変化は、前記第１の電極構造に対する物体の接近を示す、請求項１から６のいずれか一項に記載のセンサデバイス。
【請求項８】
前記電場感知電極からタップされる前記少なくとも１つの第３の信号のレベル変化は、前記物体が、前記第１の電極構造および前記第２の電極構造の両方に接近していることを示す、請求項７に記載のセンサデバイス。
【請求項９】
少なくとも１つの補助電極が、前記電場感知電極のうちの１つに割り当てられ、前記補助電極は、ガルバニックにまたは容量的に、前記少なくとも１つの電場感知電極と結合可能である、請求項１から８のいずれか一項に記載のセンサデバイス。
【請求項１０】
前記電場感知電極からタップされる前記第３の信号は、時分割多重方式によって評価可能である、請求項５から９のいずれか一項に記載のセンサデバイス。
【請求項１１】
前記第２のセンサ要素は、位置センサ、加速度センサ、光センサ、および温度センサのうちの少なくとも１つを備えている、請求項１から１０のいずれか一項に記載のセンサデバイス。
【請求項１２】
前記センサデバイスは、電気携帯用デバイス内に配置可能である、請求項１から１１のいずれか一項に記載のセンサデバイス。
【請求項１３】
検出信号を提供する方法であって、前記方法は、
第１のセンサ要素の受信電極から第１の信号をフィードすることであって、前記第１のセンサ要素は、容量センサ要素として構成され、携帯用デバイスの筐体の第１の側壁に配置された送信電極、および前記第１の側壁の反対の、前記筐体の第２の側壁に配置された前記受信電極を備えている第１の電極構造を備え、前記送信電極によって放出される第１の交流電場は、前記受信電極に結合されている、ことと、
前記第１の信号を評価することと、
第２のセンサ要素によって提供される第２の信号を評価することと、
前記評価された第１の信号および前記評価された第２の信号に応じて、検出信号を生成することと
を含む、方法。
【請求項１４】
前記第１のセンサ要素は、第２の電極構造を備え、前記第２の電極構造は、いくつかの電場感知電極を備え、
前記送信電極によって放出される第１の交流電場は、少なくとも１つの電場感知電極に結合され、
第３の信号が、少なくとも１つの電場感知電極からタップされ、
前記第３の信号が、評価され、
前記検出信号は、前記評価された第３の信号に応じている、
請求項１３に記載の方法。
【請求項１５】
前記電場感知電極から、前記第３の信号が、時分割多重方式においてタップされる、請求項１４に記載の方法。
【請求項１６】
前記第１の電極構造は、補償電極を備え、前記送信電極は、第１の交流電気信号を供給され、前記補償電極は、第２の交流電気信号を供給される、請求項１３から１５のいずれか一項に記載の方法。
【請求項１７】
補助電極が、前記電場感知電極のうちの少なくとも１つに割り当てられ、前記補助電極は、ガルバニックにまたは容量的に、前記電場感知電極と結合可能である、請求項１４から１６のいずれか一項に記載の方法。
【請求項１８】
前記検出信号は、前記第１の電極構造に対する身体の接近を示し、電気携帯用デバイス内に配置されている前記第１の電極構造に対する身体の接近の場合、前記電気携帯用デバイスは、第１の動作モードから第２の動作モードに切り替えられる、請求項１３から１７のいずれか一項に記載の方法。
【請求項１９】
前記第１の動作モードは、スリーピングモードであり、前記第２の動作モードは、アクティブモードである、請求項１８に記載の方法。
【請求項２０】
請求項１から１２のいずれか一項に記載のセンサデバイスを備えている電気携帯用デバイスであって、前記第１の電極構造の電極は、手によって前記携帯用デバイスを包含した場合に、前記電極が、前記手によって少なくとも部分的に覆われるように、前記携帯用デバイスの右および左の側壁上の底部領域に配置されている、電気携帯用デバイス。
【請求項２１】
前記電気携帯用デバイスは、携帯電話、ゲームコンソールのための入力手段、モバイルミニコンピュータ、ヘッドホン、コンピュータマウス、およびリモートコントロールのうちの少なくとも１つを備えている、請求項２０に記載の電気携帯用デバイス。
【手続補正２】
【補正対象書類名】明細書
【補正対象項目名】００２８
【補正方法】変更
【補正の内容】
【００２８】
電気携帯用デバイスは、携帯電話、ゲームコンソールのための入力手段、ポータブルミニコンピュータ、ヘッドホン、コンピュータマウス、およびリモートコントロールのうちの少なくとも１つを含み得る。
例えば、本発明は以下の項目を提供する。
（項目１）
接触および／または接近の検出のための少なくとも１つの第１のセンサ要素（ＫＳ）であって、前記少なくとも１つの第１のセンサ要素（ＫＳ）は、容量センサ要素として構成され、送信電極（ＳＥ）および受信電極（ＥＥ）を備えている第１の電極構造を備え、前記送信電極（ＳＥ）によって放出される第１の交流電場（ＷＳ）は、前記受信電極（ＥＥ）に結合可能である、少なくとも１つの第１のセンサ要素（ＫＳ）と、
少なくとも１つの第２のセンサ要素（ＡＳ）と、
前記少なくとも１つの第１のセンサ要素（ＫＳ）および前記少なくとも１つの第２のセンサ要素（ＡＳ）と結合されている評価デバイス（Ａ）と
を備え、
評価デバイス（Ａ）は、前記第１のセンサ要素（ＫＳ）の受信電極（ＥＥ）からタップされる第１の信号（Ｓ１）および前記第２のセンサ要素（ＡＳ）によって提供される少なくとも１つの第２の信号（Ｓ２）を評価し、前記評価に応じて、少なくとも１つの検出信号（ＤＳ）を生成するように構成されている、
センサデバイス。
（項目２）
前記第１の電極構造は、補償電極（ＫＥ）を備え、前記評価デバイス（Ａ）は、信号発生器（Ｇ）を備え、前記信号発生器（Ｇ）は、前記送信電極（ＳＥ）に第１の交流電気信号（ＷＳ１）を供給し、前記補償電極（ＫＥ）に第２の交流電気信号（ＷＳ２）を供給し、前記補償電極（ＫＥ）によって放出される第２の交流電場（ＷＫ）は、前記受信電極（ＥＥ）に結合可能である、項目１に記載のセンサデバイス。
（項目３）
前記補償電極（ＫＥ）は、実質的に、前記送信電極（ＳＥ）と前記受信電極（ＥＥ）との間に配置されている、項目２に記載のセンサデバイス。
（項目４）
前記第２の交流電気信号（ＷＳ２）は、前記第１の交流電気信号（ＷＳ１）に対して位相偏移されている、項目２または３に記載のセンサデバイス。
（項目５）
前記第１のセンサ要素（ＫＳ）は、第２の電極構造を備え、前記第２の電極構造は、いくつかの電場感知電極（ＦＥ）を備え、
前記受信電極（ＥＥ）、前記送信電極（ＳＥ）、前記補償電極（ＫＥ）、および前記電場感知電極（ＦＥ）は、
前記送信電極（ＳＥ）によって放出される第１の交流電場（ＷＳ）が、前記電場感知電極（ＦＥ）のうちの少なくとも１つにも結合可能であり、
前記補償電極（ＫＥ）によって放出される第２の交流電場（ＷＫ）が、実質的に、前記受信電極（ＥＥ）にのみ結合可能である
ように、互に対して配置され、
前記評価デバイス（Ａ）は、前記電場感知電極（ＦＥ）のうちの少なくとも１つからタップされる第３の信号（Ｓ３）を評価するように構成されている、
項目２から４のいずれか一項に記載のセンサデバイス。
（項目６）
前記第１の交流電気信号（ＷＳ１）の振幅は、前記第２の交流電気信号（ＷＳ２）の振幅より大きい、項目１から５のいずれか一項に記載のセンサデバイス。
（項目７）
前記第１の電極構造に対する物体の接近は、前記受信電極（ＥＥ）からタップされる前記第１の信号（Ｓ１）のレベル変化につながり、前記第１の信号（Ｓ１）は、前記第１の電極構造に対する前記物体の接近を示す、項目１から６のいずれか一項に記載のセンサデバイス。
（項目８）
前記第２の電極構造に対する前記物体のさらなる接近は、前記電場感知電極（ＦＥ）からタップされる前記少なくとも１つの第３の信号（Ｓ３）のレベル変化につながり、前記第３の信号（Ｓ３）のレベル変化は、前記物体が、前記第１の電極構造および前記第２の電極構造の両方に接近していることを示す、項目７に記載のセンサデバイス。
（項目９）
少なくとも１つの補助電極（ＨＥ）が、前記電場感知電極（ＦＥ）のうちの１つに割り当てられ、前記補助電極（ＨＥ）は、ガルバニックにまたは容量的に、前記少なくとも１つの電場感知電極（ＦＥ）と結合可能である、項目１から８のいずれか一項に記載のセンサデバイス。
（項目１０）
前記電場感知電極（ＦＥ）からタップされる前記第３の信号（Ｓ３）は、時分割多重方式によって評価可能である、項目５から９のいずれか一項に記載のセンサデバイス。
（項目１１）
前記第２のセンサ要素（ＡＳ）は、位置センサ、加速度センサ、光センサ、および温度センサのうちの少なくとも１つを備えている、項目１から１０のいずれか一項に記載のセンサデバイス。
（項目１２）
前記センサデバイスは、電気携帯用デバイス内に配置可能である、項目１から１１のいずれか一項に記載のセンサデバイス。
（項目１３）
検出信号（ＤＳ）を提供する方法であって、
第１の信号（Ｓ１）が、第１のセンサ要素（ＫＳ）の受信電極（ＥＥ）からタップされ、前記第１のセンサ要素（ＫＳ）は、容量センサ要素として構成され、送信電極（ＳＥ）および前記受信電極（ＥＥ）を備えている第１の電極構造を備え、前記送信電極（ＳＥ）によって放出される第１の交流電場（ＷＳ）は、前記受信電極（ＥＥ）に結合され、
前記第１の信号（Ｓ１）が、評価され、
第２のセンサ要素（ＡＳ）によって提供される第２の信号（Ｓ２）が、評価され、
前記評価された第１の信号（Ｓ１）および前記評価された第２の信号（Ｓ２）に応じて、検出信号（ＤＳ）が、生成される、
方法。
（項目１４）
前記第１のセンサ要素（ＫＳ）は、第２の電極構造を備え、前記第２の電極構造は、いくつかの電場感知電極（ＦＥ）を備え、
前記送信電極（ＳＥ）によって放出される第１の交流電場（ＷＳ）は、少なくとも１つの電場感知電極（ＦＥ）に結合され、
第３の信号（Ｓ３）が、少なくとも１つの電場感知電極（ＦＥ）からタップされ、
前記第３の信号（Ｓ３）が、評価され、
前記検出信号（ＤＳ）は、前記評価された第３の信号（Ｓ３）に応じている、
項目１３に記載の方法。
（項目１５）
前記電場感知電極（ＦＥ）から、前記第３の信号（Ｓ３）が、時分割多重方式においてタップされる、項目１４に記載の方法。
（項目１６）
前記第１の電極構造は、補償電極（ＫＥ）を備え、前記送信電極（ＳＥ）は、第１の交流電気信号（ＷＳ１）を供給され、前記補償電極（ＫＥ）は、第２の交流電気信号（ＷＳ２）を供給される、項目１３から１５のいずれか一項に記載の方法。
（項目１７）
補助電極が、前記電場感知電極（ＦＥ）のうちの少なくとも１つに割り当てられ、前記補助電極は、ガルバニックにまたは容量的に、前記電場感知電極（ＦＥ）と結合可能である、項目１４から１６のいずれか一項に記載の方法。
（項目１８）
前記検出信号（ＤＳ）は、前記第１の電極構造に対する身体の接近を示し、電気携帯用デバイス内に配置されている前記第１の電極構造に対する身体の接近の場合、前記電気携帯用デバイスは、第１の動作モードから第２の動作モードに切り替えられる、項目１３から１７のいずれか一項に記載の方法。
（項目１９）
前記第１の動作モードは、スリーピングモードであり、前記第２の動作モードは、アクティブモードである、項目１８に記載の方法。
（項目２０）
項目１から１２のいずれか一項に記載のセンサデバイスを備えている電気携帯用デバイス。
（項目２１）
前記第１の電極構造の電極は、手によって前記携帯用デバイスを包含した場合に、前記電極が、前記手によって少なくとも部分的に覆われるように、前記携帯用デバイス内に配置されている、項目２０に記載の電気携帯用デバイス。
（項目２２）
前記電気携帯用デバイスは、携帯電話、ゲームコンソールのための入力手段、モバイルミニコンピュータ、ヘッドホン、コンピュータマウス、およびリモートコントロールのうちの少なくとも１つを備えている、項目２０または２１に記載の電気携帯用デバイス。